(57)【要約】【課題】低コストに製造でき、かつ、セキュリティ性の高いパターン表出体を提供する。【解決手段】パターン表出体１０は、ホログラム層１２を外力による損傷から保護するためと、強度をもたせるための基材層１１と、白色光で再生できる２次元又は３次元画像をホログラム画像として記録した透明又は半透明の層であり、ホログラム画像のレリーフ面が下面に形成されたホログラム層１２と、ホログラム層１２のレリーフ面と密着して形成され、ホログラム層１２を剥離するとレリーフ面の絵柄とは逆型の絵柄が視認可能に表出するとともに、ホログラム層１２に入射した光の反射を防止してホログラム層１２の光学的な性能を無効にする暗色系の剥離性を有するインキ層１３と、このパターン表出体１０を被着体に貼り付けるための粘着層１４と、使用時まで粘着層１４を保護する剥離紙１５等とを備え、上から、この順に積層されている。【選択図】図１
2005316212.tif 000002
【特許請求の範囲】
【請求項１】
微細な凹凸パターンを有する透明又は半透明のパターン層と、
前記パターン層の凹凸パターンと密着して形成され、前記パターン層を剥離すると前記凹凸パターンとは逆型の逆凹凸パターンが視認可能に表出する逆パターン表出層と、
を備えるパターン表出体。
【請求項２】
請求項１に記載のパターン表出体において、
前記パターン層は、ホログラム画像が記録されるホログラム層、及び／又は、光の干渉を起こす回折格子層であり、
前記逆パターン表出層は、前記ホログラム層及び／又は回折格子層の光学的な性能を無効にする光学性能無効層であること、
を特徴とするパターン表出体。
【請求項３】
請求項２に記載のパターン表出体において、
前記光学性能無効層は、前記ホログラム層及び／又は回折格子層に入射した光の反射を防止する反射防止層であること、
を特徴とするパターン表出体。
【請求項４】
請求項２に記載のパターン表出体において、
前記光学性能無効層は、前記ホログラム層及び／又は回折格子層に入射した光を透過させる光透過層であること、
を特徴とするパターン表出体。
【請求項５】
請求項１から請求項４までのいずれか１項に記載のパターン表出体において、
前記逆パターン表出層は、剥離性を有するインキ層であること、
を特徴とするパターン表出体。
【請求項６】
請求項１から請求項５までのいずれか１項に記載のパターン表出体において、
前記逆パターン表出層は、暗色系のインキ層であること、
を特徴とするパターン表出体。
【請求項７】
請求項１から請求項５までのいずれか１項に記載のパターン表出体において、
前記逆パターン表出層は、透明又は半透明のインキ層であること、
を特徴とするパターン表出体。
【発明の詳細な説明】
【技術分野】
【０００１】
本発明は、偽造、変造を防止するラベル等に好適に利用できるパターン表出体に関するものである。
【背景技術】
【０００２】
従来より、各種ラベルや、金券、カード類の偽造、変造、複製等を防止するために、様々な工夫が提案されており、ホログラム層を有するラベル等もその一例である（例えば、特許文献１）。
ホログラムは、ホログラム層の下に、屈折率の高いアルミニウムや、酸化チタン等の金属蒸着層を設けることで、ホログラム効果を増大させている。
【０００３】
しかし、金属蒸着層は、原料の面からみても、作業にかかる工程の面からみても、コストを上昇させる要因となっていた。
一方、ホログラム層を有するラベルは、これまで、高い効果が認められてきたが、最近の偽造技術によっては、ホログラム自体が偽造されてしまう可能性もあり、また、使用済みのカード等からホログラムを剥離して不正に利用されてしまう恐れもあった。
【０００４】
この不正利用を防止するために、剥離すると脆質効果が作用して、剥離の履歴が残るラベル等もあるが、偽造防止策を講じた形跡はどうしても残ってしまい、警戒されてしまう場面も少なからずあった。
【特許文献１】特開２００２−３１１８３５号公報
【発明の開示】
【発明が解決しようとする課題】
【０００５】
本発明の課題は、低コストに製造でき、かつ、セキュリティ性の高いパターン表出体を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、微細な凹凸パターンを有する透明又は半透明のパターン層（１２）と、前記パターン層（１２）の凹凸パターンと密着して形成され、前記パターン層（１２）を剥離すると前記凹凸パターンとは逆型の逆凹凸パターンが視認可能に表出する逆パターン表出層（１３）と、を備えるパターン表出体である。
【０００７】
請求項２の発明は、請求項１に記載のパターン表出体において、前記パターン層（１２）は、ホログラム画像が記録されるホログラム層、及び／又は、光の干渉を起こす回折格子層であり、前記逆パターン表出層（１３）は、前記ホログラム層及び／又は回折格子層の光学的な性能を無効にする光学性能無効層であること、を特徴とするパターン表出体である。
【０００８】
請求項３の発明は、請求項２に記載のパターン表出体において、前記光学性能無効層は、前記ホログラム層及び／又は回折格子層に入射した光の反射を防止する反射防止層であること、を特徴とするパターン表出体である。
【０００９】
請求項４の発明は、請求項２に記載のパターン表出体において、前記光学性能無効層は、前記ホログラム層及び／又は回折格子層に入射した光を透過させる光透過層であること、を特徴とするパターン表出体である。
【００１０】
請求項５の発明は、請求項１から請求項４までのいずれか１項に記載のパターン表出体において、前記逆パターン表出層（１３）は、剥離性を有するインキ層であること、を特徴とするパターン表出体である。
【００１１】
請求項６の発明は、請求項１から請求項５までのいずれか１項に記載のパターン表出体において、前記逆パターン表出層（１３）は、暗色系のインキ層であること、を特徴とするパターン表出体である。
【００１２】
請求項７の発明は、請求項１から請求項５までのいずれか１項に記載のパターン表出体において、前記逆パターン表出層（１３）は、透明又は半透明のインキ層であること、を特徴とするパターン表出体である。
【発明の効果】
【００１３】
本発明によれば、以下のような効果がある。
（１）透明又は半透明のパターン層の微細な凹凸パターンと、逆パターン表出層とが密着して形成され、パターン層を剥離すると凹凸パターンとは逆型の逆凹凸パターンが視認可能に表出するので、通常の状態では、偽造防止策が施されていることが分からず、パターン層を剥離した場合には、簡単に真偽判別をすることができ、セキュリティ性が向上する。また、簡易な２層構造であるので、セキュリティ性を確保しながら低コストに製造できる。
【００１４】
（２）パターン層は、ホログラム層及び／又は回折格子層であり、逆パターン表出層は、ホログラム層及び／又は回折格子層の光学的な性能を無効にする光学性能無効層であるので、通常の状態では、ホログラム層及び／又は回折格子層の光学的な性能が発揮されず、パターン層を剥離した場合には、より複雑な凹凸パターンが表出するので、セキュリティ性がさらに向上する。
【００１５】
（３）光学性能無効層は、ホログラム層及び／又は回折格子層に入射した光の反射を防止する反射防止層であるので、ホログラム層及び／又は回折格子層の光学的な性能を確実に無効にできる。
【００１６】
（４）光学性能無効層は、ホログラム層及び／又は回折格子層に入射した光を透過させる光透過層であるので、ホログラム層及び／又は回折格子層の光学的な性能を確実に無効にできる。
【００１７】
（５）逆パターン表出層は、剥離性を有するインキ層であるので、パターン層が容易に剥離するようになり、偽造や変造がより困難となる。
【００１８】
（６）逆パターン表出層に、暗色系のインキ層を使用した場合には、表出する逆凹凸パターンが視認しやすい。
【００１９】
（７）逆パターン表出層に、透明又は半透明のインキ層を使用した場合には、一層、偽造防止策が施されていることが分かりづらい。
【発明を実施するための最良の形態】
【００２０】
本発明は、低コストに製造でき、かつ、セキュリティ性の高いパターン表出体を提供するという目的を、ホログラム層のレリーフ面側に、剥離性を有する暗色系のインキ層を形成することにより実現する。
【実施例１】
【００２１】
以下、図面等を参照して、本発明の実施例について、さらに詳しく説明する。
図１は、本発明によるパターン表出体の実施例１を模式的に示す断面図である。
実施例１のパターン表出体１０は、被着体に貼り付ける目隠しホログラムラベルであって、基材層１１と、ホログラム層１２と、インキ層１３と、粘着層１４と、剥離紙１５等とを備え、上から、この順に積層されている。
【００２２】
基材層１１は、ホログラム層１２を外力による損傷から保護するためと、強度をもたせるためのものであり、例えば、透明なポリエチレンテレフタレート（ＰＥＴ）である。
【００２３】
ホログラム層１２は、白色光で再生できる２次元又は３次元画像をホログラム画像（絵柄）として記録した透明又は半透明のパターン層であり、ホログラム画像のレリーフ面（微細な凹凸パターン）が下面に形成された樹脂の層である。
この樹脂の材質としては、熱可塑性樹脂、熱硬化性樹脂又はそれらの混合物を用いることができる。
【００２４】
インキ層１３は、ホログラム層１２のレリーフ面と密着して形成され、このインキ層１３からホログラム層１２を剥離すると、レリーフ面の絵柄とは逆型の絵柄（逆凹凸パターン）が視認可能に表出する逆パターン表出層であるとともに、ホログラム層１２の光学的な性能を無効にする光学性能無効層でもある。また、光学性能無効層は、ホログラム層１２に入射した光の反射を防止（入射した光を吸収）する反射防止層である。
ここで、逆凹凸パターンとは、例えば、レリーフ面が凸なら凹、凹なら凸、といったように、ある型によって、逆の型が形成されたパターンである。
また、インキ層１３は、例えば、アクリル系、塩化ビニル−酢酸ビニル共重合体系、ポリエチレン系、ポリエステル系等の剥離性を有する剥離インキや、メジュームインキであり、表出する絵柄を視認しやすくするために、暗色系（黒、墨等）が好ましい。
【００２５】
粘着層１４は、このパターン表出体１０を被着体に貼り付けるためのものであり、例えば、ゴム系粘着剤、アクリル系粘着剤等である。
【００２６】
剥離紙１５は、使用時まで粘着層１４を保護するシートであり、例えば、紙やプラスチックフィルム等から形成されており、粘着層１４側の面は、剥離を容易にするための剥離処理がなされている。
【００２７】
次に、実施例１のパターン表出体１０の製造方法について説明する。
（１）基材層１１を用意する。
（２）基材層１１上に、コーティング方式等によってホログラム層１２用の樹脂を塗布する。
（３）塗布した樹脂に、模様等が刻まれたロールを加熱しながら押しつけて凹凸模様をつけるエンボス加工を施してレリーフ面を形成し、ホログラム層１２を形成する。
（４）グラビア印刷で、ホログラム層１２のレリーフ面に、インキ層１３用のインキが流れ込むように塗工し、インキ層１３を形成する。
（５）インキ層１３上に粘着層１４用の粘着剤を塗布する（粘着加工）。なお、ＨＳ（ヒートシール）加工で、被着体に直接貼り付けてもよい。
（６）粘着層１４を剥離紙１５で覆う。
【００２８】
このようにしてパターン表出体１０が完成したら、剥離紙１５を剥離して、被着体に貼り付ける。
【００２９】
この状態では、ホログラム層１２のレリーフ面がインキ層１３で埋まっており、そのインキ層１３が、ホログラム層１２に入射した光の反射を防止しているので、ホログラム層１２に記録されているホログラム画像は視認できず、見た目は、通常のフィルムのような状態である。
この現象の理由は、ホログラムは、レリーフ面の微細な凹凸で光が回折することより画像が再生されるからである。
【００３０】
このように、実施例１によれば、被着体に貼り付けた状態では、基材層１１側からインキ層１３が視認できるが、一見しただけでは、偽造防止策が施されていることは分からない。
【００３１】
また、このパターン表出体１０を貼り替えようとすると、ホログラム層１２とインキ層１３との間で剥離するとともに、インキ層１３に絵柄が視認可能に表出するので、貼り替えの事実が簡単に確認でき、セキュリティ性が向上する。
【００３２】
さらに、ホログラム層１２を用いているので、偽造がより困難であり、また、従来の金属蒸着層を使用しない点や、ホログラム層１２を製造する既存の設備をそのまま使用できる点により、大幅なコストダウンが図れる。
【００３３】
したがって、偽造防止ラベル、真偽判定ラベル、開封履歴の残る封緘ラベル、貼り替えが不可能なラベル等として、このパターン表出体１０を好適に利用することができる。
【実施例２】
【００３４】
図２は、本発明によるパターン表出体の実施例２を模式的に示す断面図である。
なお、前述した実施例１と同様な機能を果たす部分には、同一の符号又は末尾に統一した符号を付して、重複する説明や図面を適宜省略する。
実施例２のパターン表出体１０Ａと、実施例１のパターン表出体１０との異なる点は、ホログラム層１２とインキ層１３との間に、剥離層１６が設けられている点である。
【００３５】
このように、実施例２によれば、剥離層１６を設けたので、インキ層１３に特殊な剥離インキを使用する必要が無くなり、通常のインキを用いて、さらなるコストダウンが図れる。
【実施例３】
【００３６】
図３は、本発明によるパターン表出体の実施例３を模式的に示す断面図である。
実施例３のパターン表出体１０Ｂは、実施例１のパターン表出体１０と異なり、インキ層１３と粘着層１４との間に、接着層１７と、フィルム１８とが設けられている。
【００３７】
接着層１７は、インキ層１３及びフィルム１８を剥離不可能に接着するものであり、フィルム１８は、透明な薄膜状のシートである。
【００３８】
このように、実施例３によれば、インキ層１３用のインキ塗工後に、フィルム１８をラミネートするだけの簡単な工程で、一般のラベルとして、そのまま使用できるようになる。
【実施例４】
【００３９】
図４は、本発明によるパターン表出体の実施例４を模式的に示す断面図である。
実施例４のパターン表出体１０Ｃは、実施例３のパターン表出体１０Ｂと比較して、ホログラム層１２とインキ層１３との間に、剥離層１６が設けられている点が異なる。
【００４０】
このように、実施例４によれば、実施例２と同様に、より低コストに、一般のラベルとして製造できる利点がある。
【００４１】
（変形例）
以上説明した実施例に限定されることなく、種々の変形や変更が可能であって、それらも本発明の均等の範囲内である。
（１）ホログラムの例で説明したが、光の干渉を起こす回折格子でもよい。
（２）ホログラムや回折格子ではなく、パターン層を別途製造して用いてもよい。
（３）基材層１１とホログラム層１２との間に、剥離層とＯＰ層（保護層）を設け、偽造、変造の目的でラベルを剥離しようとすると、ホログラム画像が破壊されるいわゆる脆質ラベルとして利用してもよい。このようにすれば、セキュリティ性がより向上する。
（４）パターン表出体を、宝くじや、簡易くじとして利用してもよい。
（５）光学性能無効層は、ホログラム層１２に入射した光の反射を防止する反射防止層（暗色系のインキ層１３）の例で説明したが、ホログラム層１２に入射した光を透過させる光透過層（例えば、透明又は半透明のインキ層）であってもよい。このようにすれば、表出する絵柄は視認しにくくなるものの、一層、偽造防止策が施されているか分かりづらくなる。
【図面の簡単な説明】
【００４２】
【図１】本発明によるパターン表出体の実施例１を模式的に示す断面図である。
【図２】本発明によるパターン表出体の実施例２を模式的に示す断面図である。
【図３】本発明によるパターン表出体の実施例３を模式的に示す断面図である。
【図４】本発明によるパターン表出体の実施例４を模式的に示す断面図である。
【符号の説明】
【００４３】
１０、１０Ａ〜１０Ｃ  パターン表出体
１１  基材層
１２  ホログラム層
１３  インキ層
１４  粘着層
１５  剥離紙
１６  剥離層
１７  接着層
１８  フィルム
【図１】
2005316212.tif 000003
【図２】
2005316212.tif 000004
【図３】
2005316212.tif 000005
【図４】
2005316212.tif 000006